(57)【要約】【課題】  一人でも取り付け作業を容易に行うことができ、装置の取り付け位置に関して自由度の高い日よけ装置を提供する。【解決手段】  全長に亘り係合部を備え建物駆体に取り付けられる位置決め部材と、位置決め部材の係合部に手前側から差し入れられるように係合される上部ケースと、位置決め部材の両端部に配置されて建物駆体に固定される左右一対のブラケットと、左右のブラケットそれぞれに取り付けられる折曲自在な一対のアームと、これらのアームの各先端に架け渡される前枠と、一対のブラケットに手前側から取り付け可能であるとともにそれらの間に回転自在に架け渡される巻き取りパイプと、一端側が巻き取りパイプに巻掛けられるとともに、他端側が前枠に取り付けられたキャンバスとを具備し、建物躯体に取り付けられた位置決め部材、及びブラケットに、個々に巻き取りパイプ、上部ケース、及びアームを取り付け可能に構成する。【選択図】      図１
2005188081.tif 000002
【特許請求の範囲】
【請求項１】
全長に亘り係合部を備え、建物駆体に取り付けられる位置決め部材と、
前記位置決め部材の係合部に、手前側から差し入れられるように係合される上部ケースと、
前記位置決め部材の両端部に配置されて、前記建物駆体に固定される左右一対のブラケットと、
前記左右のブラケットそれぞれに取り付けられる、折曲自在な一対のアームと、
これらのアームの各先端に架け渡される前枠と、
前記一対のブラケットに手前側から取り付け可能であるとともに、それらの間に回転自在に架け渡される巻き取りパイプと、
一端側が前記巻き取りパイプに巻掛けられるとともに、他端側が前記前枠に取り付けられたキャンバスと、を具備し、
前記建物躯体に取り付けられる前記位置決め部材、及びブラケットに、個々に前記巻き取りパイプ、上部ケース、及びアームを取り付け可能に構成した、日よけ装置。
【発明の詳細な説明】
【技術分野】
【０００１】
本発明は、建物駆体に取り付けられる日よけ装置に関する。
【背景技術】
【０００２】
建物開口部の上方に、日ざしや雨をよけるための日よけ装置が使用されることがある。このような日よけ装置は、ロール部材に布が巻き掛けられたものが使用され、その時々の天候や、使用者の好みによって適宜布を巻き出して日差しや、採光、雨のコントロールをすることができるようになっている。また、布地の色やデザインを自由に選択できるので、店舗等に使用して、外観のイメージを向上する目的で使用されることもある。
【０００３】
建物駆体に取り付けられる日よけ装置に関し、特許文献１には、図１１に示されるように、左右の取り付ブラケット１０１間に取り付けられる巻き取りパイプ１０２と、この左右の取り付ブラケット１０１にアームを介して取り付けられる前枠１０４と、前記巻き取りパイプ１０２に巻掛けられ、前記前枠１０４に連結するキャンバスで日除けユニット１１０として構成し、一方、建物躯体に取り付けられるベースプレート１１１に被係合部１１２を形成し、この被係合部１１２に取り付ブラケット１０１の係合部１１３を係合して仮固定し、その後に本固定して日除けユニット１１０を建物躯体に取り付け可能とした日除け装置が開示されている。
【特許文献１】特開２００１−１２３６２１号公報
【発明の開示】
【発明が解決しようとする課題】
【０００４】
しかし、特許文献１に開示されている日よけ装置の場合、日よけユニットが事前に工場などにおいて組み立てられていることが前提となっている。したがって、重量のある日よけユニットをベースプレートに係合させるためには、二人がかりで作業をしなければならないという問題があった。また、日よけユニットとベースプレートとの係合は、左右のブラケットにおいて行われるほか、幅のある日よけユニットの全長をベースプレートに堅固に固定するために、左右ブラケットの中間に数個の係合部材（図１１の符号１１５、１１６の部材参照）をユニットに取り付けてベースプレートに係合させることが必要であり、この作業に熟練を要した。さらに重量のある日よけユニットをベースプレートに係合させるためには、ベースプレート取り付け部の上下に一定の空間を必要とし、これが日よけ装置の取り付け位置に対する制約となっていた。
【０００５】
そこで、本発明は、一人でも取り付け作業を容易に行うことができ、装置の取り付け位置に関して自由度の高い日よけ装置を提供することを課題とする。
【課題を解決するための手段】
【０００６】
請求項１に記載の発明は、全長に亘り係合部（１１、１２）を備え建物駆体に取り付けられる位置決め部材（１０）と、位置決め部材の係合部に手前側から差し入れられるように係合される上部ケース（２０）と、位置決め部材の両端部に配置されて建物駆体に固定される左右一対のブラケット（３０ａ、３０ｂ）と、左右のブラケットそれぞれに取り付けられる折曲自在な一対のアーム（１４０ａ、１４０ｂ）と、これらのアームの各先端に架け渡される前枠（５０）と、一対のブラケットに手前側から取り付け可能であるとともにそれらの間に回転自在に架け渡される巻き取りパイプ（６０）と、一端側が巻き取りパイプに巻掛けられるとともに、他端側が前枠に取り付けられたキャンバス（７０）とを具備し、建物躯体に取り付けられた位置決め部材、及びブラケットに、個々に巻き取りパイプ、上部ケース、及びアームを取り付け可能に構成した日よけ装置（１００）を提供して前記課題を解決しようとするものである。
【発明の効果】
【０００７】
請求項１に記載の発明によれば、日よけ装置を構成する各部材は、個々の別体に構成されており、位置決め部材、及びブラケットを建物躯体に取り付けた後に他の部材を順次取り付けてゆくことになるので、一部材として重量の嵩むものがないため、一人の作業者のみにて、取り付け及び、組み立て作業をすることが可能である。また、上部ケースは位置決め部材に、巻き取りロールはブラケットに対して、手前側から差し入れて組み立て可能とされているので、上下方向に作業スペースを要しない。このため、上方に庇や、下方に窓などが設置されているような建物の部位においても、高い自由度を持って当該日よけ装置の設置位置を決めることができる。また部材間の係合作業は全て目視できる位置で行われるので、従来例のように隠蔽箇所における係合が不要であり、作業に熟練を要しない。また、位置決め部材と上部ケースとは位置決め部材の全長にわたり係合されているので、例え当該日よけ装置が大きな幅を持って構成されていても、上部ケース中央部で弛みを生じない。
【０００８】
本発明のこのような作用及び利得は、次に説明する発明を実施するための最良の形態から明らかにされる。
【発明を実施するための最良の形態】
【０００９】
以下本発明を図面に示す実施形態に基づき説明する。
【００１０】
図１は、本発明にかかる日よけ装置の各構成部材を示す分解斜視図である。図示の日よけ装置１００は、ビス１１ａ、１１ｂにより、不図示の建物壁面に取り付けられる位置決め部材１０と、位置決め部材１０の手前側上部に係合される上部ケース２０と、位置決め部材１０の左右に配置されるとともに、前記壁面に取り付けられる一対のブラケット３０ａ、３０ｂとを備えている。ブラケット３０ａ、３０ｂはそれぞれ取り付け孔３７ａ、３８ａ；３７ｂ、３８ｂ（取り付け孔３７ａ、３８ａは図１には現れていない。必要なら図４を参照。）を備え、これら取り付け孔にねじ釘３１ａ、３２ａ；３１ｂ、３２ｂを差し入れて、上記壁面に取り付けられている。左右のブラケット３０ａ、３０ｂには、巻き取りロール６０が架け渡されている。この架け渡し構造については後に説明する。巻き取りロール６０には布製のキャンバス７０が巻き掛けられている。キャンバス７０の他端側には前枠５０が取り付けられている。
【００１１】
一方、左右のブラケット３０ａ、３０ｂにはそれぞれ屈曲自在なアーム１４０ａ、１４０ｂの一端側が取り付けられている。アーム１４０ａ、１４０ｂの他端側は、上記前枠５０の両端やや内側に取り付けられている。
【００１２】
巻き取りロール６０の一端側にはギアケース９２が取り付けられている。ギアケース９２からは駆動シャフト９３が取り出されており、駆動シャフト９３を回動すると、その駆動力がギアケース９２で方向を変えられて、巻き取りロール６０が軸の周りに回転する。巻き取りロール６０が回転すると、ロールに巻き掛けられたキャンバス７０が出入りし、それに連動するようにアーム１４０ａ、１４０ｂが屈曲、伸張する。
【００１３】
なお、美感を向上し、部品を雨水等から隔離してこれらの防錆・防汚をよりよくするため、上部ケース１０、及び前枠５０の両端には、サイドキャップ９０ａ、９０ｂ；９１ａ、９１ｂが取り付けられている。また上部ケース１０の下方には下部ケース８０が取り付けられている。
【００１４】
図２は、位置決め部材１０と、ブラケット３０ａ、３０ｂとを建物駆体に取り付ける方法を示す一部分解斜視図である。なお、図２において、図１に示されている部材と同一部材が示されている場合には、図１における場合と同一の参照符号を付してその説明を省略することがある。図３以下の図面においても同様である。位置決め部材１０は、ビス１１ａ、１１ｂにより建物壁面に取り付けられている。この際に、位置決め部材１０の取り付け姿勢が、本日よけ装置１００全体の取り付け姿勢を決定することになるので、でき得る限り水平にかつ正しい位置に位置決め部材１０を取り付けることが重要である。
【００１５】
ブラケット３０ａ、３０ｂは、位置決め部材１０の両端に当接して配置される。ブラケット３０ａ、３０ｂにはそれぞれ、取り付け孔３７ａ、３８ａ；３７ｂ、３８ｂ（取り付け孔３８ａは図２には現れていない。必要なら図４を参照。）が設けられている。この取り付け孔３７ａ、３８ａ；３７ｂ、３８ｂにねじ釘３１ａ、３２ａ；３１ｂ、３２ｂをそれぞれ差し入れて、建物壁面にブラケット３０ａ、３０ｂを固定することができる。なお、この固定を堅固なものとするため、ねじ釘釘３１ａ、３２ａ；３１ｂ、３２ｂの頭部とブラケット３０ａ、３０ｂとの間には弾性材３３ａ、３３ｂ、３５ａ、３５ｂ、及びワッシャー３４ａ、３４ｂ、３６ａ、３６ｂが配置されている。
【００１６】
位置決め部材１０と壁面、及びブラケットとねじ釘との間の隙間には、コーキング剤が充填され、壁面と日よけ装置１００との間の隙間から雨水等がたれ落ちることが防止される。
【００１７】
図３は、左右のブラケット３０ａ、３０ｂに、巻き取りパイプ６０を取り付けた状態を示す斜視図である。また、図４は、ブラケット３０ａ、３０ｂと巻き取りパイプ６０との連結を示す斜視図である。（ａ）は駆動側、（ｂ）は従動側を示すものである。上述したように、駆動シャフト９３を手動または電動で回転させると、その駆動力はギアケース９２（図４参照）を介して巻き取りシャフト６０に伝えられ、巻き取りシャフト６０がその軸芯の周りに回転されることによって、キャンバス７０が払い出され、あるいは巻き取られる。
【００１８】
図４（ａ）は、ブラケット３０ｂと巻き取りシャフト６０との連結部を示すものである。巻き取りシャフト６０の両端のうち、こちら側がドライブサイド（駆動側）にあたる。巻き取りシャフト６０の端部には、その軸芯に沿って端部角柱軸４１が設けられている。一方、ギアケース９２には、ケース内で回転自在であるとともに前記端部角柱軸４１の外形と略同一に設けられた孔９４を備えた回転部９５を備えている。回転部９５は、駆動シャフト９３の回転力がギアケース９２内で、端部角柱軸４１の回転方向と同方向に変換される。かくして、回転端部角柱軸４１を、ギアケース９２の孔９３に嵌入して、駆動シャフト９３を回転させると、巻き取りシャフト６０が回転部９５とともに回転する。
【００１９】
ギアケース９２には、巻き取りシャフト６０の軸芯と平行に２つの孔９６、９７が設けられている。また、ブラケット３０ｂにもこれらと対応する位置でかつ同方向に二つの孔９８、９９が設けられている。これら各孔の内面には雌ねじが切られている。これら雌ねじに螺合可能なボルト４３がブラケット３０ｂ側から、孔９９、９７に差し入れられている。またボルト４３と同一形状に形成されたボルト４４が、ギアケース９２の側から孔９６、９８に差し入れられている。この様な構成により、ブラケット３０ｂにギアケース９２が固定されている。
【００２０】
図４（ｂ）は、ブラケット３０ａと巻き取りシャフト６０との連結部を示すものである。こちら側の巻き取りシャフト６０の端部にはその軸芯に沿って、端部円柱軸４２が設けられている。この端部円柱軸４２が嵌入可能な孔４２ａを設けた軸受け部材４５が別途設けられている。軸受け部材４５は、柱状体５０を備え、その芯部に孔４２ａが設けられ、その両端には鍔５１、５２が設けられている。一方、この柱状体５０の形状に対応する凹部形状４９がブラケット３０ａの手前側に設けられている。そして、ブラケット３０ａの凹部形状４９に、巻き取りシャフト６０を取り付けた軸受け部材４５を手前側から差し入れる。しかる後に固定金具４６をビス４７、４８によりブラケット３０ａに取り付けて、軸受け部材４５がブラケット３０ａに固定される。このようにして、巻き取りシャフト６０が軸受け部４５に回転自在に連結される。
【００２１】
図５は、図３の状態からさらに、位置決め部材１０に上部ケース２０を取り付けた状態を示す斜視図である。また、図６は、位置決め部材１０に上部ケース２０を取り付ける方法を示す断面図であり、（ａ）は取り付け直前、（ｂ）は取り付け後の姿勢を表している。図示のように上部ケース２０にはその先端部下面側に突起２２及び、段差２１が設けられている。一方、位置決め部材１０の側には、これらと対応するように上面側に、凹部１２と段差１１とが設けられている。位置決め部材１０に上部ケース２０を取り付けるには、上部ケース２０を略水平に保ち、図の左方から右方へと移動させる。先ず突起２２が段差１１を乗り越え、さらに移動を進めると、段差２１と段差２２とが係合し、突起２２が凹部１２内に配置される。この状態で、上部ケース２０の保持を解放すると、図６（ｂ）に示すように、各段差同士、突起と凹部とが係合して位置決め部材１０と、上部ケース２０との位置関係が一意に決せられ、両者が係合固定される。
【００２２】
図７は、左右のブラケット３０ａ、３０ｂにアーム１４０ａ、１４０ｂをそれぞれ取り付けた状態を示す斜視図である。アーム１４０ａ、１４０ｂの一端側は左右のブラケット３０ａ、３０ｂに回動自在に固定されている。また、アーム１４０ａ、１４０ｂの他端側は、前枠５０の両端やや中央よりに回動自在に固定されている。
【００２３】
図８は、ブラケット３０ａ、３０ｂ及び前枠５０の側面にサイドキャップ９０ａ、９０ｂ；９１ａ、９１ｂを取り付けた状態を示す斜視図である。サイドキャップを取り付けることにより、日よけ装置１００の意匠上の美感を高めるとともに、内部機構に雨水等が侵入するのを阻止して、部材の耐久性を高めることができる。
【００２４】
図９は、位置決め部材１０と下部ケース８０との連結を示す断面図である。（ａ）は係合前の状態を示し、（ｂ）は係合した位置決め部材１０と下部ケース８０とを示している。図示のように位置決め部材１０の下端部には係合部１５が、下部ケース８０の上端部には被係合部８５が形成されており、これらが係合されて、位置決め部材１０と下部ケース８０とが連結される。
【００２５】
図１０は、建物駆体に取り付けられた日よけ装置１００を示す側部断面図である。ハッチングで示されている部分は建物断面である。本発明にかかる日よけ装置１００は、以上に説明したように、各部材がそれぞれに独立して部品化されており、これらの部品を個々に取り付けてゆくので、一度に重量のある部材を保持しつつ取り付け作業を行う必要がない。また、取り付けの方向は基本的に手前側から建物側に差し込むように行われる。したがって、この図にある狭い隙間のような部分にも取り付けをすることが可能である。また同様な理由により、一人の作業者により組み立て可能で、作業者の熟練を要しない。
【００２６】
本発明において、上部ケース２０の材質は特に限定するものではなく、樹脂成型材や、アルミニウム押し出し材を使用することができるが、耐久性や、美観の観点から、表面化粧処理されたアルミニウム押し出し材を使用することが好ましい。
【００２７】
また本発明において、位置決め部材１０の材質は特に限定されるものではなく、鋼板や、アルミニウム板などの金属材料を好ましく使用することができる。特に表面に防錆処理を施した鋼板や、アルマイト処理を施したアルミニウム板が耐久性の面から推奨される。
【００２８】
本発明において、ブラケット３０ａ、３０ｂの材質は、作製の容易性、軽量性、経済的なコストなどの面から、アルミニウム鋳造品で構成することが好ましい。また、多少重量がかさむが、鋳鉄を使用してもよい。
【００２９】
本発明において、キャラバン７０の材質は特に限定されるものではなく、ポリエステル繊維、ガラス繊維などを好ましく使用することができる。
【００３０】
上記実施形態において、巻き取りロールの駆動方法は手動によるものについて説明したが、本発明はこれに限定されるものではなく、電動方式の駆動を行ってもよい。この組み立て場合、当該日よけ装置に外部からの電源を導入するケーブルを引き込む必要がある。このケーブルに、巻き取りロール駆動用操作パネルからの信号線を併設してもよい。また、日よけ装置内に受信機を配置して、無線により巻き取りロール駆動を操作してもよい。
【００３１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う日よけ装置もまた本発明の技術的範囲に包含されるものとして理解されなければならない。
【図面の簡単な説明】
【００３２】
【図１】本発明にかかる日よけ装置の各構成部材を示す分解斜視図である。
【図２】位置決め部材と、ブラケットとを建物駆体に取り付ける方法を示す一部分解斜視図である。
【図３】左右のブラケットに、巻き取りパイプを取り付けた状態を示す斜視図である。
【図４】ブラケットと巻き取りパイプとの連結を示す斜視図である。（ａ）は駆動側、（ｂ）は従動側を示すものである。
【図５】図３の状態からさらに、位置決め部材に上部ケースを取り付けた状態を示す斜視図である。
【図６】位置決め部材に上部ケースを取り付ける方法を示す断面図である。
【図７】ブラケットにアームを取り付けた状態を示す斜視図である。
【図８】ブラケット及び前枠側面にサイドキャップをとりつけた状態を示す斜視図である。
【図９】位置決め部材と下部ケースとの連結を示す断面図である。
【図１０】建物駆体に取り付けられた日よけ装置を示す側部断面図である。
【図１１】従来の日よけ装置を示す斜視図である。
【符号の説明】
【００３３】
１０  位置決め部材
１１  段差（係合部）
１２  凹部（係合部）
２０  上部ケース
３０ａ、３０ｂ  ブラケット
４０ａ、４０ｂ  アーム
５０  前枠
６０  巻き取りパイプ
７０  キャンバス
８０  下部ケース
９２  ギアケース
９３  駆動シャフト
１００  日よけ装置
【図１】
2005188081.tif 000003
【図２】
2005188081.tif 000004
【図３】
2005188081.tif 000005
【図４】
2005188081.tif 000006
【図５】
2005188081.tif 000007
【図６】
2005188081.tif 000008
【図７】
2005188081.tif 000009
【図８】
2005188081.tif 000010
【図９】
2005188081.tif 000011
【図１０】
2005188081.tif 000012
【図１１】
2005188081.tif 000013